(57)【要約】      （修正有）【課題】一般の水桶またはバケツに適用可能な脱水装置を提供する。【解決手段】水桶に設置可能な脱水装置であり、外筒と内筒２とを備える。外筒は、水を濾過する網部および板部１４からなる底部を有し、板部１４から水桶側に突出し水桶の内壁に寄り掛かることが可能な位置決め部１５を有し、外壁に固定座３が設置されている。内筒２は、外筒内に設けられており、シャフト２２により外筒と接続されている。外筒の板部１４は、水桶の開口端の環状突縁に位置し、位置決め部１５が水桶の内壁に寄り掛かっている。【選択図】図１
0003184836.tif 000002
【実用新案登録請求の範囲】
【請求項１】
水桶に設置可能な脱水装置であって、
水を濾過する網部および板部からなる底部を有し、前記板部から前記水桶側に突出し前記水桶の内壁に寄り掛かることが可能な位置決め部を有し、外壁に固定座が設置されている外筒と、
前記外筒内に設けられており、シャフトにより前記外筒と接続されている内筒と、を備え、
前記外筒の前記板部は、前記水桶の開口端の環状突縁に位置し、前記位置決め部が前記水桶の内壁に寄り掛かっていることを特徴とする脱水装置。
【請求項２】
前記外筒は、前記底部の中央に管状軸が設置されており、
前記内筒は、開口が下側に向いている嵌合筒が底部の中央に設けられており、
前記嵌合筒は、前記外筒の前記管状軸を収容し、中央に前記シャフトが設けられており、
前記シャフトは、前記外筒の前記管状軸の中央にある孔の中に嵌り込まれていることを特徴とする請求項１記載の脱水装置。
【請求項３】
前記固定座は、逆Ｕ字状に形成されており、水平の支持板を有し、当該支持板の一端に係止板が立設されており、前記支持板の他端に前記係止板と対向している締め付け板が立設されており、
前記支持板は、前記水桶の開口端の前記環状突縁に位置しており、
前記係止板は、前記水桶の内壁に当接しており、
前記締め付け板は、締め付け具により前記水桶の外壁に固定されており、
前記外筒は、前記水桶の片側に組み付けられていることを特徴とする請求項１記載の脱水装置。
【請求項４】
前記固定座は、ブロック状であり、底部が前記水桶の開口端の前記環状突縁に位置しており、
前記固定座は、一端にひっかけ具が設けられており、
前記ひっかけ具は、末端にひっかけ針が設けられており、
前記ひっかけ針は、前記水桶の開口端の前記環状突縁に形成されている窪みの中にはめ込まれていることを特徴とする請求項１記載の脱水装置。
【請求項５】
前記外筒の前記板部の底部に設けられている前記位置決め部と対向する位置に設けられている前記締め付け板に、締め付け具がねじ付けてられており、
前記締め付け具は、先端が前記水桶の外壁に当接していることを特徴とする請求項１記載の脱水装置。
【請求項６】
前記外筒の前記板部の前記底部は水平状であり、
前記板部の前記底部は、前記水桶の開口端の前記環状突縁に位置していることを特徴とする請求項１記載の脱水装置。
【請求項７】
前記外筒の前記管状軸の中央穴の両端にはブッシュが設けられており、
前記ブッシュは、前記内筒の前記シャフトを支持することを特徴とする請求項２記載の脱水装置。
【請求項８】
前記締め付け具のねじ部の先端にはナットが設けられており、
前記ナットは、前記水桶の外壁に当接していることを特徴とする請求項３または請求項５記載の脱水装置。
【請求項９】
前記固定座の底部は水平状であり、
前記固定座の底部は前記水桶の開口端の前記環状突縁の上に設けられていることを特徴とする請求項４記載の脱水装置。
【請求項１０】
前記ひっかけ針にはつっかかり板が設けられており、
前記つっかかり板は前記水桶の前記外周壁に強くつっかかることを特徴とする請求項４記載の脱水装置。
【考案の詳細な説明】
【技術分野】
【０００１】
本考案は脱水装置に関する。
【背景技術】
【０００２】
従来、離心力を利用してモップの水を搾り出す脱水装置が知られている。このような、脱水装置は、水桶やバケツの中に固定されている。脱水装置は、外筒と内筒により構成されている。内筒は外筒に対して自由に回転可能である。外筒に対して内筒が回転すると、離心力により、モップの水がモップから脱離する。
【０００３】
上述の従来の脱水装置は、専用の水桶を使用しなければ、脱水装置を水桶に固定することができない。また、ベアリングに保護する処置がなければ、ベアリングに水が浸入するおそれがある。
【考案の概要】
【考案が解決しようとする課題】
【０００４】
本考案の目的は、一般の水桶またはバケツに適用可能な脱水装置を提供することにある。
【課題を解決するための手段】
【０００５】
本考案の脱水装置は、水桶に設置可能な脱水装置であり、外筒と内筒とを備える。
外筒は、水を濾過する網部および板部からなる底部を有し、板部から水桶側に突出し水桶の内壁に寄り掛かることが可能な位置決め部を有し、外壁に固定座が設置されている。内筒は、外筒内に設けられており、シャフトにより外筒と接続されている。外筒の板部は、水桶の開口端の環状突縁に位置し、位置決め部が水桶の内壁に寄り掛かっている。
【０００６】
外筒の下端の左右側にそれぞれ固定座が設けられている。固定座は外筒を水桶に固く締め付ける。この固定座は、逆Ｕ字状に形成されており、支持板、一係止板、および締め付け板を有する。締め付け板の中央部には、ねじ孔があけられている。ボルトをねじ孔にねじ付けてナットをボルトねじ付けることで、外筒が水桶に固定される。
【０００７】
内筒は底部中央部に嵌合筒が設けられており、嵌合筒は下向きの開口を有する。嵌合筒の中央部にはシャフトが設けられている。このシャフトは外筒のブッシュに回転可能に支持され、内筒と外筒とは回転可能に結合されている。
【０００８】
本考案の脱水装置は、外筒の板部と網部が水桶の開口端の片側に置かれており、外筒の位置決め部と水桶の内壁とが当接しており、網部が水桶の中に対応している。固定座の支持板は水桶の環状突縁の上に位置し、固定座の係止板は水桶の内側に位置している。締め付け具が締め付け板のねじ孔にねじ込まれていることで、締め付け板が水桶の外壁にねじ付けられ、外筒は水桶の片側に固く組み付けられる。ブッシュは、外筒の管状軸の中に設けられており、内筒のシャフトを回転可能に支持する。内筒の嵌合筒は、外筒の管状軸に嵌め込まれており、水が散ばることを抑制し金属部材の腐蝕を抑制する。本考案の脱水装置は専用水桶を使用せず、市販の色々な水桶やバケツを利用することができ、比較的に大きい容量の水桶を使用することができる。また本考案の脱水装置は、内筒の中で脱水を行い、汚れた水を自然に水桶の中に落下させる。  
【０００９】
本考案の脱水装置は、専用の水桶を使用せずに、コストが安く、水桶への取り付けおよび取りはずしが非常に簡単かつ便利である。
【図面の簡単な説明】
【００１０】
【図１】本考案の第１実施形態による脱水装置を示す分解斜視図である。
【図２】本考案の第１実施形態による脱水装置を示す断面図である。
【図３】本考案の第１実施形態による脱水装置を示す断面図である。
【図４】本考案の第１実施形態による脱水装置を示す平面図である。
【図５】本考案の第２実施形態による脱水装置を示す分解斜視図である。
【図６】本考案の第２実施形態による脱水装置を示す平面図である。
【図７】本考案の第２実施形態による脱水装置を示す側面図である。
【図８】本考案の第２実施形態による脱水装置を示す側面図である。
【図９】本考案の第２実施形態による脱水装置を示す側面図である。
【図１０】本考案の第３実施形態による脱水装置を示す分解斜視図である。
【図１１】本考案の第３実施形態による脱水装置を示す平面図である。
【図１２】本考案の第３実施形態による脱水装置を示す断面図である。
【考案を実施するための形態】
【００１１】
本考案の複数の実施形態を図面に基づいて説明する。
（第１実施形態）
本考案の第１実施形態による脱水装置を図１から図４に示す。図１から図４に示すように、本実施形態の脱水装置は、外筒１と内筒２とで構成される。
【００１２】
外筒１は、その底部の中央部に管状軸１１が設置されており、管状軸１１の中央の貫通孔の上下両端にブッシュ（ＢＵＳＨ）１２が嵌め付けられている。底部は片側に排水用の網部１３が形成されている。網部１３の面積は底部の約半分にするである。底部の残りの半分は板部１４として形成されており、水を網部１３に向けて流れるようにする。網部１３の面積は底部の約半分である。管状軸１１の近くに少なくとも一つの位置決め部１５が設置されており、外筒１が水桶の上端に設置する時、この位置決め部は水桶の内壁に当接し、外筒１の位置を決める。外筒１の底端の左右両側には、外側に伸びている固定座３が設置されている。この固定座３は、逆Ｕ字状に形成されており、その下側に支持板３１、係止板３２、および締め付け板３３を有する。締め付け板３３は、その中央にねじ孔が形成されており、締め付け具（或るいはボルト）３４およびナット３６により固定座３を介して外筒１を水桶に固定する。
【００１３】
内筒２は底部中央部に嵌合筒２１が設置されており、嵌合筒は下向きの開口を有する。内筒２は、下側に向いて伸びているシャフト２２が中央に設けられている。シャフト２２は、外筒１の管状軸１１のブッシュ１２に支持され、内筒２と外筒１とを回転可能に接続する。
【００１４】
第１実施形態の脱水装置を使用する時は、外筒１の板部１４と網部１３とを水桶４の環状突縁４１の上に置き、少しくとも外筒１の位置決め部１５を水桶４の内壁に寄り掛け、外筒１を水桶４の片側の上に安定させる。次に固定座３の支持板３１を水桶４の環状突縁４１の上に載せて、係止板３２を水桶４の内壁と相互に接触させる。締め付け具３４のねじ部３５とナット３６とで固定座３を水桶４の外壁に締め付けることで、外筒１を水桶４の片側に固定する。続いて、内筒２のシャフト２２を外筒１の管状軸１１のブッシュ１２の中に嵌め込む。内筒２は順調且つ迅速に外筒１の中で回転する。嵌合筒２１が管状軸１１を覆っているので、水が飛びちることを抑制し、シャフト２２の回転力が低下することを抑制する。内筒２と外筒１とは回転可能に接続されている。使用しない時は、内筒２を容易に外筒１から引き出すことができる。また、特別な専用水桶を使用する必要がなく、市販の普通の水桶を使用することができ、コストを低減することができる。本実施形態の脱水装置は、水桶４の貯水空間と洗濯空間を占用せず、水桶４の開口の一部のみふさぐので、開口の大部分が開かれており、モップを容易に水桶４の中に入れることができる。
【００１５】
（第２実施形態）
本考案の第２実施形態による脱水装置を図５から図９に示す。本実施形態の脱水装置は、外筒１と内筒２とで構成される。
【００１６】
外筒１は、第１実施形態と同様に、管状軸１１と板部１４と網部１３と少なくとも一つの位置決め部１５とを有する。内筒２は、嵌合筒２１とシャフト２とを有する。第２実施形態が第１実施形態と異なる点について説明する。第２実施形態の固定座３は、ブロック状で、底面は水桶４の環状突縁４１に位置している。固定座３にはひっかけ具３７が設けられており、ひっかけ具３７の末端はひっかけ針３８が連結されている。ひっかけ針３８は水桶４の環状突縁４１の窪み４２にひっかかり、外筒１は水桶４の片側に組み付けられる。ひっかけ針３８の下末端は、つっかかり板３９が連結されており、窪み４２の中に嵌り込むと同時に水桶４の外壁面に緊密に寄り掛かり、図７、図８と図９が示すように外筒１を水桶４の上に位置させる第２実施形態の脱水装置は、水桶４に取り付けて使用可能であり、使用しないときは簡単に取りはずすことができる。
【００１７】
（第３実施形態）
本考案の第３実施形態の脱水装置を図１０、図１１、図１２に示す。本実施形態の脱水装置は、外筒１と内筒２とで構成されている。
【００１８】
第３実施形態の外筒１と内筒２は、第１実施形態と同じように、外筒１は管状軸１１と板部１４と網部１３と少なくとも一位置決め部１５とを有する。内筒２は、嵌合筒２１とシャフト２２とを有する。外筒１と内筒２との組み合せ方式も第１実施形態と同じであるので、その詳細な説明を省略する。以下、第１実施形態と異なる点について説明する。本実施形態では、板部１４の底面に設けられている位置決め部１５に対向する位置に、位置決め部１５と所定間隔を有する締め付け板３３が設置されている。また、締め付け板３３にねじこまれている締め付け具３４が設けられており、締め付け具３４のねじ部３５にはナット３６がねじ込まれていることで、外筒１が水桶４の外周壁に固定される。これで、外筒１は水桶４の片側の上に設置される。
【符号の説明】
【００１９】
１・・・外筒、
１１・・・管状軸、
１２・・・ブッシュ、
１３・・・網部、
１４・・・板部、
１５・・・位置決め部、
２・・・内筒、
２１・・・嵌合筒、
２２・・・シャフト、
３・・・固定座、
３１・・・支持板、
３２・・・係止板、
３３・・・締め付け板、
３４・・・締め付け具、
３５・・・ねじ部、
３６・・・ナット、
３７・・・ひっかけ具、
３８・・・ひっかけ針、
３９・・・つっかかり板、
４・・・水桶、
４１・・・環状突縁、
４２・・・窪み。
【図１】
0003184836.tif 000003
【図２】
0003184836.tif 000004
【図３】
0003184836.tif 000005
【図４】
0003184836.tif 000006
【図５】
0003184836.tif 000007
【図６】
0003184836.tif 000008
【図７】
0003184836.tif 000009
【図８】
0003184836.tif 000010
【図９】
0003184836.tif 000011
【図１０】
0003184836.tif 000012
【図１１】
0003184836.tif 000013
【図１２】
0003184836.tif 000014